(57)【要約】      （修正有）【課題】浮きとコマセ籠との結合及び離脱機構の簡素化と信頼性向上を図ることにより、より遠くに、より正確に、より簡単に飛ばすことを可とする遠投浮きを提供する。【解決手段】錘１２付きコマセ籠１と浮き２とを結合及び離脱可能に嵌め合わせた遠投浮きであり、コマセ籠は、内部にコマセを収容する筒状の籠本体１１を備える。浮き２は、円筒状の浮き本体２１と、浮き本体の長さ方向に沿って設けられた飛行用の翼２２、２３と、浮き本体の一端側に設けられた開口部２４と、この開口部から籠本体が嵌り込む空洞部２５とを備える。籠本体の表面には孔１５が設けられ、浮き本体には、孔１５に係合するフックが設けられている。【選択図】図１
0003183526.tif 000002
【実用新案登録請求の範囲】
【請求項１】
錘付きコマセ籠と浮きとを結合及び離脱可能に嵌め合わせた遠投浮きであって、
前記コマセ籠は、内部にコマセを収容する筒状の籠本体を備え、
前記浮きは、円筒状の浮き本体と、浮き本体の長さ方向に沿って設けられた飛行用の翼と、前記浮き本体の一端側に設けられた開口部と、この開口部から前記籠本体が嵌り込む空洞部とを備え、
前記籠本体の表面には孔が設けられ、
前記浮き本体には、前記孔に係合するフックが設けられている、ことを特徴とする遠投浮き。
【請求項２】
前記籠本体が前記空洞部内に進入する途中で、前記孔に前記フックが係合していることを特徴とする、請求項１に記載の遠投浮き。
【請求項３】
前記籠本体の孔は、籠本体の周方向に間隔をおいて複数設けられていることを特徴とする、請求項１又は２に記載の遠投浮き。
【請求項４】
前記フックは、前記コマセ籠と浮きとが相対的に接近する方向へ移動するときに前記孔から離脱する構成であることを特徴とする、請求項１〜３の何れかに記載の遠投浮き。
【請求項５】
前記フックは、基端部と自由端部とを有し、基端部が前記浮き本体にヒンジ結合され、自由端部に前記フックが設けられ、そのフックには、前記孔の周囲に接触可能な斜面が設けられ、その斜面は、コマセ籠と浮きとが相対的に接近する方向へ移動するときにフックを孔から離脱させる方向に傾斜していることを特徴とする、請求項１〜４の何れかに記載の遠投浮き。
【請求項６】
前記コマセ籠の錘が、籠本体内を移動可能に設けられていることを特徴とする、請求項１〜５の何れかに記載の遠投浮き。
【請求項７】
前記コマセ籠の錘が、籠本体の先端側に固定されていることを特徴とする、請求項１〜６の何れかに記載の遠投浮き。
【考案の詳細な説明】
【技術分野】
【０００１】
本考案は投げ釣り用の浮きに係り、特に、錘、餌カプセル、浮きを備えた遠投浮きに関するものである。
【背景技術】
【０００２】
磯釣りや堤防釣りでは、浮き釣りが主流である。中でも遠投浮き釣りは、多くの釣果が期待できる点で初心者から上級者まで人気の高い釣法である。
【０００３】
この遠投浮き釣りでは、遠投用のリール付き竿、リールに巻いた道糸、道糸の先に付ける浮きやコマセ籠（かご）、錘（おもり）、ハリス等を備えた釣り具を用いている。
【０００４】
この遠投浮き釣りに用いる釣り具として、特許文献１〜３に示すように、従来から種々の釣り具やそれを用いた釣法が提案されている。
【０００５】
特許文献１には、遠投時に、天秤の先端部に係止手段を設け、この係止手段により天秤をコマセ籠と略平行状態に保持すると同時に、開口部に嵌合した浮きの離脱方向への動きを規制し、着水後に上記係止手段を外して、天秤を自らの弾性力によりコマセ籠の周方向に突出する状態に復帰させると同時に、浮きの離脱方向への動き規制を解除する技術が記載されている。
【０００６】
特許文献２には、道糸の先端に錘を取りつけ、錘の上部にはコマセ籠を一定の範囲で摺動可能に取りつけ、コマセ籠の上部には浮きを取りつけることで、飛距離を十分に出すことができるとともに、糸が絡まるようなことがない釣魚用の仕掛けの技術が記載されている。
【０００７】
特許文献３には、下端に仕掛けを接続し、上端に道糸を接続すると共に上端に嵌合部を設けたコマセ籠と、道糸に所定の範囲内で移動可能に取り付けられて前記嵌合部に着脱可能に嵌合する部分を備えた浮きとを具備した釣り具の技術が記載されている。
【先行技術文献】
【特許文献】
【０００８】
【特許文献１】特開２０１２−９０６２２号公報
【特許文献２】特開２００４−３５７５９８号公報
【特許文献３】実開平７−３００６３号公報
【考案の概要】
【考案が解決しようとする課題】
【０００９】
これらの技術のうち、特許文献１や特許文献３には、確かに、初心者でも容易に遠投でき、また浮きとコマセ籠との結合及び離脱を、摩擦を利用した無理嵌め構造によって実現できる考え方が記載されている。
【００１０】
しかしながら、このように、浮きとコマセ籠との結合及び離脱を、摩擦を利用した無理嵌め構造によって実現したものでは、摩擦力の微調整と、その摩擦力の保持が難しく、作動が不確実になるという、課題があった。
【００１１】
また、特許文献１のように、ハリスや天秤も収納状態にして遠投する構造のものでは、浮きとコマセ籠との結合及び離脱機構も複雑となり、その分、遠投前の準備作業が煩雑になるという、根本的な問題があった。
【００１２】
よって、本考案は、浮きとコマセ籠との結合及び離脱機構の簡素化と信頼性向上を図ることにより、より遠くに、より正確に、より簡単に飛ばすことができる遠投浮きを提供することを課題とする。
【課題を解決するための手段】
【００１３】
上記課題を解決する本考案は、錘付きコマセ籠と浮きとを結合及び離脱可能に嵌め合わせた遠投浮きであって、
前記コマセ籠は、内部にコマセを収容する筒状の籠本体を備え、
前記浮きは、円筒状の浮き本体と、浮き本体の長さ方向に沿って設けられた飛行用の翼と、前記浮き本体の一端側に設けられた開口部と、この開口部から前記籠本体が嵌り込む空洞部とを備え、
前記籠本体の表面には孔が設けられ、
前記浮き本体には、前記孔に係合するフックが設けられている、ことを特徴とする。
【００１４】
本考案によれば、前記浮きは、その浮き本体の一端側に設けられた開口部と、この開口部からコマセ籠の籠本体が嵌り込む空洞部とを備え、籠本体の表面には孔を設け、浮き本体にはその孔に係合するフックを設けることで、浮きとコマセ籠との結合及び離脱機構の簡素化と信頼性向上とを図ることができる。これにより、より遠くに、より正確に、より簡単に飛ばすことができる遠投浮きを提供することができる。
【００１５】
本考案の好ましい形態では、前記籠本体が前記空洞部内に進入する途中で、前記孔に前記フックが係合していることを特徴とする。
このように、籠本体が空洞部内に進入する途中で、孔にフックが係合する構成とすることで、孔に対するフックの係合状態を保持することが容易になる。即ち、孔に対するフックの係合状態を保持するのに、籠本体の自重を利用して十分な係合状態とすることができるからである。
【００１６】
本考案の好ましい形態として、前記籠本体の孔は、籠本体の周方向に間隔をおいて複数設けられていることを特徴とする。
このように、籠本体の孔を、籠本体の周方向に間隔をおいて複数設けることで、籠本体と浮き本体とが相対的に回転した位置でも、籠本体の孔にフックを容易に係合させることができる。
【００１７】
本考案の好ましい形態として、前記フックは、前記コマセ籠と浮きとが相対的に接近する方向へ移動するときに、前記孔から離脱する構成であることを特徴とする。
このように、コマセ籠と浮きとが相対的に接近する方向へ移動するときに前記孔から離脱する構成とすることで、着水時の衝撃を利用して、フックを孔から容易にかつ正確に離脱させることができる。
【００１８】
本考案の好ましい形態として、前記フックは、基端部と自由端部とを有し、基端部が前記浮き本体にヒンジ結合され、自由端部に前記フックが設けられ、そのフックには、前記孔の周囲に接触可能な斜面が設けられ、その斜面は、コマセ籠と浮きとが相対的に接近する方向へ移動するときにフックを孔から離脱させる方向に傾斜していることを特徴とする。
このように、コマセ籠と浮きとが相対的に接近する方向へ移動するときにフックを孔から離脱させる方向に傾斜する斜面をフックに設けることで、着水時において、フックを孔から離脱させる機能を確実に発揮させることができる。
【００１９】
本考案の好ましい形態では、前記コマセ籠の錘が、籠本体内を移動可能に設けられていることを特徴とする。
このように、コマセ籠の錘を、籠本体内で移動可能にすることで、錘を浮き本体側に寄せることができる。これにより、コマセ籠と浮きの重心位置を可能な限り近づけて、より一体化させて遠投することが可能になる。
【００２０】
本考案の好ましい形態では、前記コマセ籠の錘が、籠本体の先端側に固定されていることを特徴とする。
このように、コマセ籠の錘を、籠本体の先端側に固定した場合、錘の先端を露出させると共に、その先端を尖らせて遠投時の空気抵抗を小さくし、より遠くまで直進性を持たせて遠投することができる。
【考案の効果】
【００２１】
本考案の遠投浮きによれば、浮きとコマセ籠との結合及び離脱機構の簡素化と信頼性向上を図ることにより、より遠くに、より正確に、より簡単に飛ばすことができる。
【図面の簡単な説明】
【００２２】
【図１】本考案の実施形態１に係る遠投浮きの分解斜視図である。
【図２】本考案の実施形態１に係る遠投浮きのコマセ籠の斜視図である。
【図３】本考案の実施形態１に係る遠投浮きの斜視図である。
【図４】本考案の実施形態１に係る遠投浮きの浮き本体の斜視図である。
【図５】本考案の実施形態１に係る遠投浮きのコマセ籠の斜視図である。
【図６】本考案の実施形態２に係る遠投浮きのコマセ籠の斜視図である。
【図７】本考案の実施形態２に係る遠投浮きのコマセ籠の分解斜視図である。
【図８】本考案の実施形態２に係る遠投浮きの斜視図である。
【図９】本考案の実施形態３に係る遠投浮きの斜視図である。
【図１０】本考案の実施形態３に係る遠投浮きの分解斜視図である。
【図１１】本考案の実施形態３に係る遠投浮きのコマセ籠の斜視図である。
【考案を実施するための形態】
【００２３】
以下、本考案の実施形態について図１ないし図７を参照して説明する。
＜実施形態１＞
図１〜図５は、本考案の実施形態１に係るもので、比較的スリムな遠投浮きに適用した例を示すものである。
【００２４】
この実施形態に係る遠投浮きＵは、錘付きコマセ籠１と浮き２とを結合及び離脱可能に嵌め合わせた構造である。コマセ籠１は、内部にコマセを収容する筒状の籠本体１１と、籠本体１１の先端に設けられた錘１２とを備えている。
【００２５】
籠本体１１は、透明樹脂により円筒状に形成され、その一端側に前記錘１２が固定され、他端側が樹脂製の閉塞部材１３により閉じられている。籠本体１１には、オキアミ等のコマセを入れるための開閉蓋１４がヒンジ結合されている。
【００２６】
籠本体１１の外周面であって、錘１２寄りの位置には、コマセ籠１と浮き２とを仮結合するために利用する、後述の係合用の孔１５が複数設けられている。
【００２７】
籠本体１１の、錘１２側の端部には、矩形状の切り欠き１６ａが設けられている。また、閉塞部材１３にも籠本体１１の内外に通じる小孔１６ｂ、１６ｃが設けられている。これらの切り欠きや孔は、コマセの水中排出調整用の孔（排出口）や水抜き穴として利用される。
【００２８】
錘１２は、遠投時の空気抵抗が小さくなるように、円錐状の先細りに形成されている。錘１２にはその中心軸線に沿って道糸Ｍを通す貫通孔１２ａが設けられている。
【００２９】
錘１２と籠本体１１との境界部分には天秤１７が取り付けられている。天秤１７の先端には、対象魚に応じて、例えば図２に示すようなハリス１８が設けられる。
【００３０】
前記浮き２は、円筒状の浮き本体２１と、浮き本体２１の長さ方向に沿って設けられた飛行用の翼２２、２３と、浮き本体２１の一端側に設けられた開口部２４と、この開口部２４から籠本体１１が嵌り込む空洞部２５とを備えている。この空洞部２５内には、籠本体１１の筒状部分が円滑に、かつ、その大部分が嵌り込むように設定されている。
【００３１】
浮き本体２１は、着色樹脂により形成され、空洞部２５以外の部分が浮きとして必要な浮力を持たせる気密空間２６として形成されている。この浮き本体２１の他端側には閉じ板２１ａが設けられ、その中央部には細い円筒状突出部２１ｂが設けられている。この円筒状突出部２１ｂの内孔ａ（図３参照）は、気密空間２６（図１参照）との仕切り版２６ａを貫通して空洞部２５内に開口している。この内孔ａは、道糸Ｍ（図２参照）を通すための孔として利用される。
【００３２】
なお、この道糸Ｍを通すための内孔ａには、図３に示すように、マーカー（しもりうき）２７をセットすることができる。このマーカー２７には、小径パイプ２７ａが設けられ、この小径パイプ２７ａが内孔ａに挿入されてセットされている。
【００３３】
マーカー２７の上端には挿入穴２７ｂが形成され、この挿入孔に対してケミホタル等の発光体を必要に応じて挿入することで、装着できるようになっている。したがって、この場合にも、内孔ａへ道糸Ｍを通すことができるように、円筒状突出部２１ｂの外周側に、道糸通し孔２１ｃが設けられている。
【００３４】
遠投時において、翼２２、２３が風を切る先端部は、空気抵抗をより小さくして、翼としての機能及び直進性を高める目的で、図４に示すように鋭角に形成してある。
【００３５】
次に、コマセ籠と浮きとの結合及び離脱機構（仮結合手段）について説明する。上述のように、籠本体１１の表面には孔が設けられ、浮き本体２１には、籠本体１１の表面に形成された係合用の孔１５に係合するフック２８が設けられている。
【００３６】
本実施形態のフック２８は、基端部と自由端部とを有し、基端部が浮き本体２１の開口２４寄りの位置にヒンジ結合され、自由端部にフック部２８ａが設けられている。そして、そのフック部２８ａには、係合用の孔１５の周囲に接触可能な斜面２８ｂが設けられ、その斜面２８ｂは、コマセ籠１と浮き２とが相対的に接近する方向へ移動するときにフック部２８ａを孔から離脱させる方向に傾斜している。
【００３７】
フック２８の基端部は軸ピン２８ｃにより支持されており、自由端部がその軸ピン２８ｃを中心に往復回動可能に構成されている。浮き本体２１の開口部２４の周囲を形成する周壁部分には、開口部２４から、浮き本体２１の軸方向に伸びる、長方形の切り欠き２１ｄが設けられている。この切り欠き２１ｄにより、フック２８は空洞部２５の内側と外側との間を往復回動できるようになっている。
【００３８】
浮き本体２１の外周の、切り欠き２１ｄの両側には、起立したリブ２１ｈ、２１ｈがそれぞれ設けられ、前記軸ピン２８ｃは両方のリブ２１ｈ、２１ｈを貫通する形態で位置決めされている。
【００３９】
本実施形態では、前記籠本体１１が前記空洞部２５内に進入する途中で、前記係合用の孔１５に前記フック２８が係合するように設定されている。これは、籠本体１１が空洞部２５内に進入する途中で、孔１５にフック２８が係合する構成とすることで、孔１５に対するフック２８の係合状態を保持することが容易になるからである。即ち、孔１５に対するフック２８の係合状態を保持するのに、籠本体１１の自重を利用して十分な係合状態とすることができるからである。
【００４０】
また、本実施形態では、前記籠本体１１の孔１５は、籠本体１１の周方向に間隔をおいて複数設けている。これは、籠本体１１の孔１５を、籠本体１１の周方向に間隔をおいて複数設けることで、籠本体１１と浮き本体２１とが相対的に回転した位置でも、籠本体１１の孔１５にフック２８を容易に係合させることができるからである。
【００４１】
また、本実施形態では、前記フック２８は、前記コマセ籠１と浮き２とが相対的に接近する方向へ移動するときに、前記孔１５から離脱する構成としている。これは、コマセ籠１と浮き２とが相対的に接近する方向へ移動するときに孔１５から離脱する構成とすることにより、着水時の衝撃を利用して、フック２８を孔１５から容易にかつ正確に離脱させることができるからである。
【００４２】
なお、本実施形態では、コマセ籠１の錘１２を、籠本体１１の先端側に固定して、錘１２の先端を露出させると共に、その先端を尖らせて遠投時の空気抵抗を小さくすることで、より遠くまで直進性を持たせて遠投することができるようにしている。
【００４３】
本実施形態によれば、コマセ籠１と浮き２とが相対的に接近する方向へ移動するときにフック２８を孔１５から離脱させる方向に傾斜する斜面２８ｂをフック２８に設けることで、着水時において、フック２８を孔１５から離脱させる機能を確実に発揮させることができる。
【００４４】
なお、図２において、符号３は調節リングを示している。この調節リング３は、籠本体１１の外側に被せることができるリング部３１とリング部３１から突出する凸部３２、３２と凸部３２の内面側に設けられた調節用ゴム層３３とを備えている。これにより、コマセ籠１１の開口１６ａの開閉調整及び開度調整を行うことができる。
【００４５】
また、図３において、２１ｇはコマセ籠１の籠本体１１部分を浮き本体２１の空洞部２５内に挿入する際に、籠本体１１の外周面を案内するガイドリブを示している。
【００４６】
次に、本実施形態１に係る遠投浮きＵを用いて遠投する際の操作手順の一例について説明する。
（１）道糸Ｍを浮き本体２１のパイプに通す。
（２）コマセ籠１にその道糸Ｍを通して錘１２の先に出して、たる形サルカン４等に結ぶ。
（３）コマセ籠１にコマセ（オキアミ等の餌）を入れて開閉蓋１４を閉じ、調節リング（ストッパーリング）３をコマセ籠１の籠本体１１に被せて通し、錘１２に突き当たるまで移動させる。
（４）コマセ籠１の籠本体１１部分を浮き２の空洞部２５内に収納する。
（５）浮き本体２１のフック２８のフック部２８ａを、コマセ籠１の孔１５に入れて引っかけ、遠投浮きを構成する。
（６）この遠投浮きを静かに竿に垂らして投げる準備をする。
（７）オーバースローキャストで遠投する。
（８）着水し、その着水による衝撃でフック２８が上に弾かれ、コマセ籠１が沈み始める。
（９）浮き止めが効くところまで、コマセ籠１が沈む。
【００４７】
＜実施形態２＞
図６及び図７はコマセ籠の他の実施形態を示す斜視図及び分解斜視図であり、図８は、同コマセ籠を浮き本体に装着した状態の全体斜視図である。なお、これらの図において、図１〜図５と基本的に同一の構成要素については同一の符号を付してその説明を簡略化する。
【００４８】
この実施形態２に係る遠投浮きＵも、図８に示すように、錘付きコマセ籠１と浮き２とを結合及び離脱可能に嵌め合わせた構造である。コマセ籠１は、内部にコマセを収容する筒状の籠本体１１と、籠本体１１の先端に設けられた錘１２とを備えている。
【００４９】
籠本体１１は、透明樹脂により円筒状に形成され、その一端側に前記錘１２が固定され、他端側が樹脂製のキャップ部材１３Ａにより閉じられている。このキャップ部材１３Ａは、円筒状の籠本体１１に対して着脱可能に構成されている。このキャップ部材１３Ａを外した状態で、籠本体１１内にオキアミ等のコマセを容易に出し入れすることができるように、籠本体１１の多端側は開口１１ａとして解放されている。したがって、この実施形態２では、実施形態１で例示した開閉蓋１４は設けられていない。
【００５０】
キャップ部材１３Ａは、図６に示すように、短寸の筒部１３ｂと一体に設けられ、その筒部１３ｂの外周側にリング部１３ｃが一体に設けられている。これにより、筒部１３ｂ部分を開口１１ａ内に挿入して、キャップ部材１３Ａを籠本体１１に装着することができる。そして、この状態において、筒部１３ｂがそれ以上挿入されないように、リング部１３ｃがストッパとして機能するようになっている。
【００５１】
籠本体１１の外周面であって、錘１２寄りの位置には、コマセ籠１と浮き２とを仮結合するために利用する、係合用の孔１５が複数設けられている。この係合用の穴１５に、浮き本体２１のフック２８が係合及び離脱可能に構成されている。なお、この実施形態のフック２８は、係合用の穴５への係合力を高めることができるように鋭角に形成されている。さらに、強度も高めることができるように、基端部付近が大きく形成されている。
【００５２】
籠本体１１の、錘１２側の端部には、矩形状の切り欠き１６ａが設けられている。また、キャップ部材１３Ａにも籠本体１１の内外に通じる小孔１６ｂ、１６ｃが設けられている。これらの切り欠きや孔は、コマセの水中排出調整用の孔（排出口）や水抜き穴として利用される。
【００５３】
錘１２は、遠投時の空気抵抗が小さくなるように、円錐状の先細りに形成されている。錘１２にはその中心軸線に沿って道糸Ｍを通す貫通孔１２ａが設けられている。
【００５４】
錘１２の、籠本体１１側の面は平面に形成され、その平面には環状リブ１２ｂが設けられている。そして、この環状リブ１２ｂの外側に開口調節部材３Ａがセットされ、その外側に籠本体１１の一端部が被さるように固定される。この状態では、図６に示すように、開口調節部材３Ａの摘み部３ｔ部分が切欠き１６ａから僅かに突出する形態となるように設計されている。
【００５５】
浮き２は、実施形態１のものと同様の構成であり、円筒状の浮き本体２１と、浮き本体２１の長さ方向に沿って設けられた飛行用の翼２２、２３と、浮き本体２１の一端側に設けられた開口部２４と、この開口部２４から籠本体１１が嵌り込む空洞部２５とを備えている。この空洞部２５内には、籠本体１１の筒状部分が円滑に、かつ、その大部分が嵌り込むように設定されている。
【００５６】
なお、この実施形態２においても、実施形態１とほぼ同様の作用効果を発揮するが、特に、コマセ籠１の籠本体１１にキャップ部材１３Ａを着脱可能に装着する構成としたので、コマセ籠１の構造を簡単にすることができる。また、キャップ部材１３Ａとしているので、大きく開く開閉蓋１４に比べて水中で不用意に開かない構成とすることができる。
【００５７】
＜実施形態３＞
図９、図１０および図１１は、本考案に係る遠投浮きを、比較的大径のコマセ籠と浮きに適用した例を示す斜視図である。なお、これらの図において、図１ないし図５と基本的に同一構成要素については同一の符号を付してその説明を簡略化する。
【００５８】
この実施形態２における遠投浮きＵも、錘付きコマセ籠１と浮き２とを結合及び離脱可能に嵌め合わせた構造である。コマセ籠１は、内部にコマセを収容する筒状の籠本体１１と、籠本体１１内に設けられた錘１２とを備えている。
【００５９】
籠本体１１は、透明樹脂によりカプセル状に形成され、その内部に前記錘１２が移動可能に設けられている。籠本体１１内には、半割状の内筒１９が抜け止めされて装着されている。
【００６０】
籠本体１１の一端側及び多端側は円錐状に膨らんだ突出部１１ｆ、１１ｇに形成されている。他端側の突出部１１ｇには小孔１１ｈが複数形成されている。籠本体１１には、オキアミ等のコマセを入れるための開閉可能な開口１１ｉが形成されている。
【００６１】
内筒１９は、籠本体１１内でその軸周りに相対的に回転可能に装着されている。そして、内筒１９の所定の回転位置で、開口１１ｉを開閉可能に設定されている。図１１（ａ）が開口１１ｉを閉じた状態を示し、図１１（ｂ）が開口１１ｉの解放状態を示している。
【００６２】
籠本体１１内には、錘１２を貫通する金属線１９ａが、籠本体１１の軸方向に伸びている。金属線１９ａの両端にはサルカン１９ｂ、１９ｂが設けられている。
【００６３】
籠本体１１の外周面には、コマセ籠１と浮き２とを仮結合するために利用する、係合用の孔１５が複数設けられている。
【００６４】
なお、この実施形態３においても、先の実施形態とほぼ同様の作用効果を発揮するが、それに加えて、特に、次のような効果が得られる。
【００６５】
この実施形態３によれば、前記コマセ籠１の錘１２を、籠本体１１内で移動可能に設けている。これは、コマセ籠１の錘１２を、籠本体１１内で移動可能にすることで、錘１２を浮き本体２１側に寄せることができるからである。これにより、コマセ籠１と浮き２の重心位置を可能な限り近づけて、より一体化させて遠投することが可能になる。
【００６６】
また、コマセ籠１として、市販のものをそのまま適用できる利点が得られるので、より低コスト化を図ることができる。
【符号の説明】
【００６７】
１  コマセ籠
１１  籠本体
１２  錘
１３  閉塞部材
１３Ａ  キャップ部材
１４  開閉蓋
１５  係合用の孔
１９  内筒
２  浮き
２１  浮き本体
２２、２３  翼
２４  開口部
２５  空洞部
２８  フック
２８ａ  フック部
２８ｂ  斜面
【図１】
0003183526.tif 000003
【図２】
0003183526.tif 000004
【図３】
0003183526.tif 000005
【図４】
0003183526.tif 000006
【図５】
0003183526.tif 000007
【図６】
0003183526.tif 000008
【図７】
0003183526.tif 000009
【図８】
0003183526.tif 000010
【図９】
0003183526.tif 000011
【図１０】
0003183526.tif 000012
【図１１】
0003183526.tif 000013